(57)【要約】      （修正有）【課題】使用位置において、キャップが目障りとなる点を緩和して、使い勝手がよく、全体構造も簡単にまとめた薬液容器を提供する。【解決手段】薬液を入れる偏平な容器１０と、容器１０の上部に装着するガイド枠２０と、ガイド枠２０に昇降可能に組み付けるキャップ３０とを設け、キャップはガイド枠上に上向きに突出する容器の口部１２を閉じる閉位置と、閉位置から押し上げて口部を開く開位置と、開位置から容器の側面に向けて回転させて口部から薬液を滴下させる使用位置とをとる。【選択図】図１
2008308215.tif 000002
【特許請求の範囲】
【請求項１】
薬液を入れる偏平な容器と、該容器の上部に装着するガイド枠と、該ガイド枠に昇降可能に組み合わせるキャップとを備えてなり、該キャップは、前記ガイド枠上に上向きに突出する前記容器の口部を閉じる閉位置と、閉位置から押し上げて前記口部を開く開位置と、開位置から前記容器の側面に向けて回転させ、前記口部から薬液を滴下させる使用位置とをとることを特徴とする薬液容器。
【請求項２】
前記キャップは、前記ガイド枠の左右に沿って垂下する左右の脚部を有し、該脚部の下端の相対向する内向きのピン軸を回転中心として開位置から使用位置に回転させることを特徴とする請求項１記載の薬液容器。
【請求項３】
前記ガイド枠は、前記ピン軸を上下にガイドするガイド溝を左右の側端面に有し、前記各ガイド溝には、前記ピン軸を開位置に拘束するストッパを形成することを特徴とする請求項２記載の薬液容器。
【請求項４】
前記ガイド枠は、前記キャップを閉位置から開位置にまでガイドする前後のガイド板を備えることを特徴とする請求項１ないし請求項３のいずれか記載の薬液容器。
【請求項５】
前記キャップは、閉位置において前記口部の外周の係合リブに弾発的に係合する係合片を備えることを特徴とする請求項１ないし請求項４のいずれか記載の薬液容器。
【請求項６】
前記容器、ガイド枠、キャップは、前記キャップの閉位置において端正な一体形状を形成することを特徴とする請求項１ないし請求項５のいずれか記載の薬液容器。
【発明の詳細な説明】
【技術分野】
【０００１】
この発明は、片手操作によりキャップを開閉し、薬液を滴下させて使用することができる薬液容器に関する。
【背景技術】
【０００２】
薬液を目に滴下して使用する点眼容器は、点眼剤を入れる容器と、容器の口部を閉じるキャップとを備え、キャップを取り外して容器の口部を露出させ、口部の滴下ノズルから点眼剤を滴下させて使用する形式が一般的である。しかし、キャップを容器から取り外して分離させると、キャップを落として汚損させたり紛失したりすることがある上、キャップの開閉に両手操作を強いられるため不便である。
【０００３】
そこで、ヒンジ式のキャップを容器と一体に組み合わせるものが提案されている（特許文献１）。このものは、ヒンジを介してキャップを容器の側端面の上部に連結し、キャップを１８０°以上回転させて開放することにより、容器の口部の滴下ノズルを外部に露出させて点眼することができる。
【０００４】
また、容器の上部に装着するキャップにスライド式の操作部、揺動式の滴下ノズルを組み込むものも知られている（特許文献２）。キャップ内の滴下ノズルは、ボールバルブを介して容器の口部に連通しており、操作部をキャップの円弧状の頂部に沿ってスライド操作することにより、滴下ノズルを横向きの閉鎖位置、上向きの開放位置に揺動駆動することができ、開放位置において滴下ノズルからの点眼剤を点眼することができる。
【特許文献１】特開２００２−３６２６０３号公報
【特許文献２】特開２００５−１４４１２３号公報
【発明の開示】
【発明が解決しようとする課題】
【０００５】
かかる従来技術の前者によるときは、１８０°以上に開くキャップは、ヒンジを介して容器と一体に連結されているから、点眼時において、目の上部近くに位置して目障りである上、全体形状が不格好であり、使い勝手が良くないという問題があった。また、後者によるときは、揺動式の滴下ノズルは、ボールバルブを介して容器の口部に組み付けなければならない上、スライド式の操作部との連動機構を要するため、全体構造が複雑であるという問題があった。
【０００６】
そこで、この発明の目的は、かかる従来技術の問題に鑑み、ガイド枠と、昇降回転形のキャップとを組み合わせることによって、使用位置においてキャップが目障りとなる点を緩和して使い勝手がよく、全体構造も簡単にまとめることができる薬液容器を提供することにある。
【課題を解決するための手段】
【０００７】
かかる目的を達成するためのこの発明の構成は、薬液を入れる偏平な容器と、容器の上部に装着するガイド枠と、ガイド枠に昇降可能に組み合わせるキャップとを備えてなり、キャップは、ガイド枠上に上向きに突出する容器の口部を閉じる閉位置と、閉位置から押し上げて口部を開く開位置と、開位置から容器の側面に向けて回転させ、口部から薬液を滴下させる使用位置とをとることをその要旨とする。
【０００８】
なお、キャップは、ガイド枠の左右に沿って垂下する左右の脚部を有し、脚部の下端の相対向する内向きのピン軸を回転中心として開位置から使用位置に回転させることができ、ガイド枠は、ピン軸を上下にガイドするガイド溝を左右の側端面に有し、各ガイド溝には、ピン軸を開位置に拘束するストッパを形成することができる。
【０００９】
また、ガイド枠は、キャップを閉位置から開位置にまでガイドする前後のガイド板を備えてもよく、キャップは、閉位置において口部の外周の係合リブに弾発的に係合する係合片を備えてもよい。
【００１０】
さらに、容器、ガイド枠、キャップは、キャップの閉位置において端正な一体形状を形成することができる。
【発明の効果】
【００１１】
かかる発明の構成によるときは、ガイド枠は、容器の上部の形状に適合する下向き箱形に形成し、容器の上部に嵌めるようにして装着することにより、容器の口部を上向きに突出させることができ、キャップは、ガイド枠に適合する外形にしてガイド枠に昇降可能に組み付けることができる。そこで、容器、ガイド枠、キャップは、全体形状を容器の外形に合わせて端正にまとめ、点眼容器として使用する場合であっても、良好な使用感を容易に実現することができる。キャップは、閉位置から開位置に押し上げて使用位置に回転させることにより、容器の口部の上方を開放し、全体を倒立させて口部からの薬剤を滴下させることができ、このとき、下からの見かけの大きさが小さく、過大な威圧感を覚えることが少ないからである。なお、開位置から使用位置に至るキャップの回転角度は、少なくとも１２０°以上、好ましくは１３５°以上に設定するのがよい。また、容器の口部は、滴下ノズル付きとしてもよく、口部自体を薬液の滴下に適する形状にしてもよい。
【００１２】
容器は、偏平な前後の両側面を手指で押圧して弾性変形させ、内部の薬液を排出するために、たとえばポリエチレンテレフタレートのような耐薬品性の適度の弾性ある材料により一体成形し、ガイド枠、キャップは、それぞれ熱可塑性の高密度ポリエチレン、ポリプロピレンなどにより一体成形する。また、容器は、薬液の量が外部から見えるように、透明または透光性を有することが好ましく、ガイド枠、キャップは、不透明であってもよい。さらに、容器、ガイド枠、キャップは、同色系の色調に揃えてもよく、異なる色調にしてもよい。
【００１３】
左右の脚部を有するキャップは、双方の脚部の間にガイド枠を挟み込むようにして、ガイド枠に昇降可能に組み付けることができる。また、キャップは、左右の脚部の下端のピン軸を回転中心として、容器の前後の側面の一方に向けて回転させ、開位置から使用位置に移行させることができる。なお、ガイド枠のガイド溝に形成するストッパは、開位置のキャップのピン軸を拘束することにより、キャップを開位置から使用位置に円滑に回転させることができる。ガイド枠に設ける前後のガイド板は、閉位置から開位置に至るまでキャップを上下にガイドし、この間においてキャップが不用意に前後に傾いたり回転したりすることを防止する。キャップの係合片は、閉位置において口部の係合リブに弾発的に係合することにより、キャップを閉位置に保持して容器の口部からの液漏れを防止する。
【００１４】
容器、ガイド枠、キャップは、キャップを閉位置にして全体として端正な一体形状を形成することにより、ポケットやバッグなどに入れて便利に携帯することができる。ただし、ここでいう「端正な」とは、容器、ガイド枠、キャップの接合部分に表われる隙間などを除いて、極端な突出部がなく、全体として一体的な表面形態になっていることをいう。
【発明を実施するための最良の形態】
【００１５】
以下、図面を以って発明の実施の形態を説明する。
【００１６】
薬液容器は、薬液を入れる容器１０と、容器１０の上部に装着するガイド枠２０と、ガイド枠２０に昇降自在に組み付けるキャップ３０とを備えてなる（図１）。なお、以下の事例は、薬液として液体の点眼剤を用いる点眼容器を例示している。
【００１７】
容器１０は、左右の両側部をテーパ状に薄くする偏平な胴部１１の上端に口部１２を開口している。胴部１１は、中間部に形成する段部１１ａを介して、前後に厚い下部と、前後に薄い上部とに形成されている。段部１１ａは、胴部１１の全周に連続するとともに、僅かに膨出する前後の両側面の中央部において、上方に滑らかなハット状に屈曲している。胴部１１の上部は、左右に突出する別の段部１１ｂ、１１ｂを介して左右の幅を階段状に小さくした上、緩やかな肩部１１ｃ、１１ｃの頂部に口部１２を上向きに形成している。なお、口部１２の外周には、上下２段の係合リブ１２ａ、１２ｂが形成されている。段部１１ｂ、１１ｂの下側には、それぞれ胴部１１の前後の側面から側端面に連続する水平の係合リブ１１ｄが形成されている。
【００１８】
口部１２には、中栓式の滴下ノズル１３が装着されている。滴下ノズル１３は、軸心上にノズル孔１３ａを有し、外周中間部にストッパ用のフランジ１３ｂを有する。ただし、ノズル孔１３ａは、フランジ１３ｂの位置で小径に絞られ、フランジ１３ｂの下側では、十分大径に形成されているものとする。滴下ノズル１３は、フランジ１３ｂの下側を口部１２に水密に圧入することにより、ノズル孔１３ａを介して容器１０内の薬液を排出して滴下させることができる。
【００１９】
ガイド枠２０は、全体形状を容器１０の上部に適合させて、下向き箱形に形成されている（図１、図２）。ただし、図２（Ａ）〜（Ｄ）は、それぞれガイド枠２０の正面半断面図、上面図、下面図、同図（Ａ）のＸ−Ｘ線矢視相当断面図である。
【００２０】
ガイド枠２０の前後の側面の下辺には、容器１０の段部１１ａの形状に合わせて、それぞれ門形の切欠き２１が形成され、左右の側端面の下端部には、容器１０の段部１１ｂ、１１ｂを収納する突出部２２、２２が形成されている。また、各突出部２２の下端内面には、容器１０の係合リブ１１ｄに対応する係合リブ２２ａが形成されている。ガイド枠２０の天板２３には、容器１０の口部１２を下から上に押し込んで貫通させる丸孔２３ａが形成されている。丸孔２３ａには、左右の短いスリット２３ｂ、２３ｂが付設されており、丸孔２３ａは、口部１２の係合リブ１２ａを通過させる際に、スリット２３ｂ、２３ｂを介して弾性変形することができる。ガイド枠２０の前後の側面は、容器１０に被せると、容器１０の外形に倣って外側に弾性変形可能である（図２（Ｄ）の二点鎖線）。
【００２１】
ガイド枠２０の左右の側端面には、それぞれ段付きのガイド溝２５が上下方向に形成され、ガイド溝２５の中間部には、上向きのストッパ２５ａが形成されている。また、ガイド溝２５の上方には、上下方向のガイドリブ２６、２６が形成されている。ガイド枠２０の前後の側面は、天板２３の上方にまで延長され、前後のガイド板２７、２７となっている。ガイド板２７、２７の内面には、各一対の上下方向のガイド溝２７ａ、２７ａ…が前後左右に対称に形成されている。
【００２２】
キャップ３０は、ガイド枠２０の上部のガイド板２７、２７の間に収納可能な下向き箱形に形成され、ガイド枠２０の左右の側端面に沿って垂下する左右の脚部３１、３１を有する（図１、図３）。ただし、図３（Ａ）〜（Ｅ）は、それぞれキャップ３０の正面半断面図、上面図、下面図、同図（Ａ）のＸ−Ｘ線、Ｙ−Ｙ線矢視相当断面図である。
【００２３】
キャップ３０の天面中央部には、容器１０の滴下ノズル１３のノズル孔１３ａに適合する突栓３２が垂設されている。また、突栓３２の左右には、一対の係合片３３、３３が垂設され、各係合片３３の背後には、仕切壁３４が垂設されている。各係合片３３は、容器１０の口部１２に対応するように内側に円弧状に湾曲している。各係合片３３の内側下端には、口部１２の係合リブ１２ａに対応する係合リブ３３ａが形成され、内側基部には、滴下ノズル１３の外面に対応する一対のガイドリブ３３ｂ、３３ｂが上下方向に形成されている。
【００２４】
キャップ３０の各脚部３１の下端には、内向きのピン軸３１ａが形成され、左右のピン軸３１ａ、３１ａは、一直線上に相対向している。また、各脚部３１の前面側、後面側には、それぞれ縦長の凹部３１ｂが形成され、外面側の上部、下部には、それぞれ滑り止め用の水平リブ３１ｃ、３１ｃが上下２段に形成されている。キャップ３０の前後の側面の下端には、それぞれ左右一対の短いガイドリブ３５、３５が上下方向に形成されており、下辺中央部には、それぞれ半月形のテーパ部３６ａ、半円形の切欠き３６ｂが重複して形成されている。
【００２５】
ガイド枠２０は、容器１０の上部に装着し、キャップ３０は、ガイド枠２０に昇降可能に組み合わせる（図１、図４）。ただし、図４（Ａ）〜（Ｄ）は、それぞれ正面中央縦断面図、同図（Ａ）のＸ−Ｘ線、Ｙ−Ｙ線、Ｚ−Ｚ線矢視相当断面図である。
【００２６】
ガイド枠２０は、下端の左右の係合リブ２２ａ、２２ａが容器１０の係合リブ１１ｄ、１１ｄに弾発的に係合している。また、容器１０の滴下ノズル１３付きの口部１２は、ガイド枠２０の丸孔２３ａを貫通してガイド枠２０上に上向きに突出し、口部１２の下の係合リブ１２ｂを介して抜け止めされている。
【００２７】
一方、キャップ３０は、左右の脚部３１、３１の下端がガイド枠２０の突出部２２、２２上に当接する下降限まで押し下げることにより、突栓３２を介して容器１０の口部１２を閉じる閉位置（図４（Ａ））をとることができる。このとき、キャップ３０側の係合片３３、３３は、下端の係合リブ３３ａ、３３ａが口部１２の上の係合リブ１２ａに弾発的に係合することにより、キャップ３０を外れ止めする。また、係合片３３、３３のガイドリブ３３ｂ、３３ｂ…は、滴下ノズル１３の外面に軸方向に摺接し、突栓３２を滴下ノズル１３の軸心上に正しく位置決めする。さらに、キャップ３０の左右の脚部３１、３１は、それぞれガイド枠２０の側端面に沿ってガイドリブ２６、２６の間に垂下し、脚部３１、３１の下端のピン軸３１ａ、３１ａは、ガイド枠２０のガイド溝２５、２５の下端に位置している。また、キャップ３０の前後のガイドリブ３５、３５…は、ガイド枠２０のガイド溝２７ａ、２７ａ…に収納されている。
【００２８】
閉位置のキャップ３０は、たとえば右手で容器１０を正立状態に把持しながら、親指、人差指を脚部３１、３１の下端に掛けて上方に押し上げることにより（図５（Ａ）、（Ｂ）の各矢印方向）、容器１０の口部１２を開く開位置に駆動することができる。このとき、キャップ３０の突栓３２は、口部１２の滴下ノズル１３から抜き取られ、各係合片３３の係合リブ３３ａは、口部１２の係合リブ１２ａから外れる。また、各脚部３１のピン軸３１ａは、対応するガイド溝２５にガイドされて上方に移動し、ピン軸３１ａは、ガイド溝２５内のストッパ２５ａを下から上に乗り越え、ストッパ２５ａを介してガイド溝２５の上端の上昇限に拘束される。なお、ガイド枠２０の前後のガイド板２７、２７は、閉位置から開位置に至るキャップ３０をガイドして前後方向の傾きを防止し、各ガイド板２７の内面のガイド溝２７ａ、２７ａ…は、キャップ３０側のガイドリブ３５、３５…とともに、キャップ３０の左右方向の傾きを防止する。
【００２９】
開位置のキャップ３０は、脚部３１、３１の下半部を除く全体がガイド枠２０のガイド板２７、２７の上方にまで上昇し（図５（Ａ）、（Ｂ））、したがって、ピン軸３１ａ、３１ａを回転中心として前後に回転可能である。そこで、キャップ３０を前後のいずれかに倒し（同図（Ｃ）の矢印方向）、容器１０の前後の側面の一方に向けて回転させると（同図（Ｄ）の矢印方向）、キャップ３０は、容器１０の滴下ノズル１３付きの口部１２の上方を開放して使用位置にすることができる。したがって、親指、人差指によって容器１０、キャップ３０を挟むようにして全体を倒立させて目の上に保持し（図６（Ａ））、滴下ノズル１３のノズル孔１３ａから容器１０内の点眼剤を滴下させて点眼すればよい。なお、このとき、容器１０は、親指、人差指による押圧力を加えて弾性変形させる。
【００３０】
開位置から使用位置に至るキャップ３０の回転中心は、ストッパ２５ａ、２５ａを介してガイド溝２５、２５の上端に拘束されているピン軸３１ａ、３１ａである。また、このときのキャップ３０の回転角度は、キャップ３０が容器１０の胴部１１の一方の側面に当接することによって決まる（図５（Ｄ））。キャップ３０の回転角度は、少なくとも１２０°以上、好ましくは１３５°以上に設定することにより、点眼時におけるキャップ３０の見かけの大きさを十分小さくすることができる。
【００３１】
点眼後、キャップ３０は、使用位置から開位置に戻し（図６（Ｂ）の矢印方向）、さらに容器１０側に押し込んで元の閉位置に戻して口部１２を閉じる（同図（Ｃ）の矢印方向）。なお、開位置から閉位置に戻すとき、キャップ３０のピン軸３１ａ、３１ａは、適切なクリック感を伴ってストッパ２５ａ、２５ａから外れ、ストッパ２５ａ、２５ａによる拘束を脱することができる。キャップ３０の閉位置において、容器１０、ガイド枠２０、キャップ３０は、全体として端正な一体形状を形成し（図６（Ｃ））、有害な液漏れを生じることなく、便利に携帯することができる。
【００３２】
以上の説明において、容器１０の口部１２は、別体の滴下ノズル１３を装着するに代えて、口部１２自体を薬液の滴下に適する形状に変形してもよい。また、キャップ３０を閉位置にするときの全体形状は、使い勝手がよく、小形薄形で端正である限り、図示以外の任意の形態に変形することができる。たとえば容器１０の底部を下側に滑らかに膨出させ、キャップ３０の上部を上側に滑らかに膨出させることにより、全体として滑らかな偏平小判形に整えることができる。また、このとき、容器１０、ガイド枠２０、脚部３１、３１の左右の両側端面を断面円弧状に丸めることも可能である。
【００３３】
なお、容器１０内の薬液は、点眼剤に限らず、コンタクトレンズの装着液や、希釈使用するうがい薬などのように、滴下させて使用する任意の液体の薬剤であってもよい。
【図面の簡単な説明】
【００３４】
【図１】全体構成分解斜視図
【図２】要部構成説明図（１）
【図３】要部構成説明図（２）
【図４】全体構成説明図
【図５】使用状態説明図（１）
【図６】使用状態説明図（２）
【符号の説明】
【００３５】
１０…容器
１２…口部
１２ａ…係合リブ
２０…ガイド枠
２５…ガイド溝
２５ａ…ストッパ
２７…ガイド板
３０…キャップ
３１…脚部
３１ａ…ピン軸
３３…係合片
特許出願人          伸晃化学株式会社
代理人  弁理士        松  田  忠  秋
【図１】
2008308215.tif 000003
【図２】
2008308215.tif 000004
【図３】
2008308215.tif 000005
【図４】
2008308215.tif 000006
【図５】
2008308215.tif 000007
【図６】
2008308215.tif 000008